(57)【特許請求の範囲】
【請求項１】
主データと、前記主データにリンクされた付加データと、前記主データと前記付加データのリンク付けを管理するリンクテーブルと、前記主データ、付加データおよび前記リンクテーブルの伝送順序を規定する制御データとを含むファイルデータとを受信して再生するデータ再生方法であって、
受信した前記制御データを参照して、制御データ、リンクテーブル、付加データ、主データの伝送順序を判別する伝送順序判別ステップと、
判別された前記伝送順序が制御データ、リンクテーブル、付加データ、主データの順である場合に前記主データの受信が開始されたかを判別する受信タイミング判別ステップと、
前記主データの受信開始に応じて当該主データの再生と前記リンクテーブルを参照しながら、前記主データと同期した再生を行う、前記付加データのリンク再生を開始する再生開始ステップとを有し、
上記各ステップの処理を、記憶手段に対する前記ファイルデータのダウンロードと並行して実行する、
ことを特徴とするデータ再生方法。
【請求項２】
主データと、前記主データにリンクされた付加データと、前記主データと前記付加データのリンク付けを管理するリンクテーブルと、前記主データ、付加データおよび前記リンクテーブルの伝送順序を規定する制御データとを含むファイルデータとを受信して再生するデータ再生装置であって、
受信した前記ファイルデータを順次記憶する記憶手段と、
受信した前記制御データを参照して、制御データ、リンクテーブル、付加データ、主データの伝送順序を判別する伝送順序判別手段と、
判別された前記伝送順序が制御データ、付加データ、リンクテーブル、主データの順である場合に前記主データの受信が開始されたかを判別する受信タイミング判別手段と、
前記主データの受信開始に応じて当該主データの再生処理と前記リンクテーブルを参照しながら、前記主データと同期した再生を行う、前記付加データのリンク再生処理とを開始する再生処理手段とを有する、
ことを特徴とするデータ再生装置。
【発明の詳細な説明】
【０００１】
【発明の属する技術分野】
本発明は、データ送信方法、データ再生方法およびデータ再生装置に関し、特に、コンテンツの配信システム等のデータ送受信システムに用いて好適なものである。
【０００２】
【従来の技術】
インターネットや携帯電話網の整備・普及に伴い、音楽や映像等のコンテンツを配信する配信サーバが種々構築されている。ユーザは、たとえば自己の携帯端末装置から所定の配信サーバにアクセスし、所望の音楽コンテンツデータを自己の携帯端末装置にダウンロードすることができる。これにより、好みの楽曲を自己の携帯端末装置にて再生聴取するができるようになる。
【０００３】
上記サーバから配信される配信データは、通常、音楽コンテンツ等の主データのほか、これにリンクされる歌詞等の付加データ（リンクデータを含む）、および主データと付加データの種類や容量等を規定する制御データから構成される。携帯端末装置は、かかる配信データのうち、制御データとリンクデータを参照することによって、主データと付加データの属性や、付加データの再生タイミング等を判別する。これにより、主データの再生と付加データのリンク再生とを実行する。
【０００４】
上記サーバからのデータ配信は、携帯端末装置からの配信要求を受信することによって行われる。ここで、データ配信時のデータフォーマットは、配信サーバ側で任意に設定できる。かかる配信には、一般に料金が課されていることが多いため、データ配信は、通常、重要なデータから順番に行われる。すなわち、音楽コンテンツ等の主データから順番に配信されるのが通常である。
【０００５】
このようにして配信されたデータは、携帯端末装置側のメモリに順次ダウンロードされる。そして、全てのデータのダウンロードが終了した後、ユーザから再生要求が入力されると、まずメモリからリンクデータが読み出され、これがワークＲＡＭ等に格納される。しかる後、主データの読み出し再生が実行され、これと並行して、リンクデータに従って付加データの再生が実行される。これにより、主データと付加データの同期再生が実現される。
【０００６】
【発明が解決しようとする課題】
上記の場合、ユーザからの再生要求の入力は、データダウンロードの完了を待って行われるものとしたが、ユーザによっては、データの再生を、ダウンロードの完了を待たずに即座に行いたい場合もあり得る。
【０００７】
しかしながら、データの配信が、上記のように、主データから順番になされる場合には、主データの再生のみはダウンロード中であっても一応可能となるが、付加データの再生は、主データにリンクして行われるものであるから、付加データおよびそのリンクデータが送信されなければなされ得ない。ところが、主データの容量は付加データの容量に比べ、格段に大きいので、付加データが受信されるまでには、かなりの時間が掛かる。したがって、主データのみならず付加データをリンクさせて再生したい場合には、実質的に、ダウンロード中の再生は不可能となり、上記と同様、全てのデータのダウンロードが終了したタイミングと同程度のタイミングからしか再生できないことになる。
【０００８】
そこで、本発明は、かかる問題を解消し、データダウンロード中であっても主データと付加データの再生を速やかに行い得るデータ送信方法、データ再生方法およびデータ再生装置を提供するものである。
【０００９】
【課題を解決するための手段】
上記課題に鑑み、本発明は以下の特徴を有する。
【００１５】
請求項１の発明は、主データと、前記主データにリンクされた付加データと、前記主データと前記付加データのリンク付けを管理するリンクテーブルと、前記主データ、付加データおよび前記リンクテーブルの伝送順序を規定する制御データとを含むファイルデータとを受信して再生するデータ再生方法であって、受信した前記制御データを参照して、制御データ、リンクテーブル、付加データ、主データの伝送順序を判別する伝送順序判別ステップと、判別された前記伝送順序が制御データ、リンクテーブル、付加データ、主データの順である場合に前記主データの受信が開始されたかを判別する受信タイミング判別ステップと、前記主データの受信開始に応じて当該主データの再生と前記リンクテーブルを参照しながら、前記主データと同期した再生を行う、前記付加データのリンク再生を開始する再生開始ステップとを有し、上記各ステップの処理を、記憶手段に対する前記ファイルデータのダウンロードと並行して実行することを特徴とする。
【００１６】
請求項２の発明は、主データと、前記主データにリンクされた付加データと、前記主データと前記付加データのリンク付けを管理するリンクテーブルと、前記主データ、付加データおよび前記リンクテーブルの伝送順序を規定する制御データとを含むファイルデータとを受信して再生するデータ再生装置であって、受信したファイルデータを順次記憶する記憶手段と、受信した前記制御データを参照して、制御データ、リンクテーブル、付加データ、主データの伝送順序を判別する伝送順序判別手段と、判別された伝送順序が制御データ、リンクテーブル、付加データ、主データの順である場合に前記主データの受信が開始されたかを判別する受信タイミング判別手段と、前記主データの受信開始に応じて当該主データと前記リンクテーブルを参照しながら、前記主データと同期した再生を行う、前記付加データのリンク再生処理とを開始する再生処理手段とを有することを特徴とする。
【００１７】
本発明の特徴は、以下に示す実施の形態の説明により更に明らかとなろう。
【００２１】
ただし、以下の実施の形態は、あくまでも、本発明の一つの実施形態であって、本発明ないし各構成要件の用語の意義は、以下の実施の形態に記載されたものに制限されるものではない。
【００２２】
【発明の実施の形態】
以下、本発明の実施の形態につき図面を参照して説明する。
【００２３】
まず、図１に実施の形態に係るデータ配信装置に構成を示す。なお、かかるデータ配信装置は、音楽コンテンツとこれにリンクされた歌詞テキストデータとをデータ再生端末に配信するものである。
【００２４】
データ配信装置１００は、送受信部１０１と、リンク作成部１０２と、スクランブル部１０３と、入出力部１０４と、コントローラ１０５と、音楽コンテンツデータベース１０６と、ファイル記憶部１０７とから構成されている。
【００２５】
送受信部１０１は、アンテナを介してデータ再生端末からの信号を受信し、またはデータ再生端末に対してファイルデータを送信する。リンク作成部１０２は、音楽コンテンツの再生時間軸に対するテキストブロックの再生開始タイミングを規定するリンクテーブルを生成する。なお、かかるリンクテーブルの作成方法については追って詳述する。
【００２６】
スクランブル部１０３は、キー情報に従ってコンテンツデータを暗号化する。入出力部１０４は、キーボードやマウス等のキー操作部１０４ａと液晶モニタ等のディスプレイ１０４ｂおよびスピーカを有する。コントローラ１０５は、プログラムメモリを内蔵し、当該プログラムメモリに記憶された制御プログラムに従って各部を制御する。
【００２７】
音楽コンテンツデータベース１０６は、音楽コンテンツをファイルに区分して記憶している。ファイル記憶部１０７は、音楽コンテンツに対しテキストデータをリンク付けして生成されたファイルデータを記憶する。かかるファイルデータは、音楽コンテンツとテキストデータの他、リンク作成部１０２で生成された当該テキストデータのリンクテーブル、およびコントローラ１０５で生成された後述する制御データを含む。
【００２８】
次に、かかるデータ配信装置１００の動作について説明する。まず、音楽コンテンツに対し歌詞テキストデータをリンク付けしてリンクテーブルを生成する際の動作について説明する。
【００２９】
所定の音楽コンテンツに対して歌詞テキストをリンク付けする場合、ユーザは、まず当該歌詞テキストを、キー操作部１０４ａから入力する。かかるテキストは、ブロック毎（たとえば歌詞フレーズ毎）に区分された状態で、順次ディスプレイ１０４ｂに表示される。
【００３０】
歌詞テキストの入力が終了すると、ユーザは、当該歌詞テキストに対応した音楽コンテンツの再生指令をキー操作部１０４ａから入力する。かかる再生指令に応じて、当該音楽コンテンツが音楽コンテンツデータベース１０６から読み出され、入出力部１０４によって再生出力される。
【００３１】
音楽再生が開始されると、ユーザは、再生音楽を聞きながら、キー操作部１０４ａを操作して、音楽コンテンツに対するテキストブロックのリンク付けを行う。すなわち、テキストブロックを再生出力させたいタイミングで当該テキストブロックを指定する。これにより、当該テキストブロックが音楽再生時間軸上の当該再生時刻にリンク付けされる。かかるリンク付けは、リンク作成部１０２にて行われる。リンク作成部１０２は、かかるリンク付け、すなわち各テキストブロックの再生時間軸上の再生時刻をテーブル上に順次ストアする。これにより、リンクテーブルを生成する。
【００３２】
図２を参照して、上記テキストブロックのリンク付けについて説明する。図中、ｔ１、ｔ２、…、ｔｎは、音楽コンテンツの再生開始からの経過時間である。ブロック１、ブロック２、…、ブロックｎは、上記各テキストブロックである。音楽コンテンツが再生出力された後、時刻ｔ１にてブロック１を上記の通り指定すると、再生時間軸上における当該ブロック１の再生出力時刻がｔ１にセットされる。同様にして、ブロック２、ブロック３、…、ブロックｎを順次指定すると、各ブロックの再生出力時刻がｔ２、ｔ３、…、ｔｎにセットされる。そして、各ブロックとその開始時刻がリンクテーブル上に対応付けられる。しかして、リンクテーブルが生成される。
【００３３】
このようにして、全音楽コンテンツに対するリンク付けが終了すると、次に、制御データの生成が行われる。かかる制御データの生成は、ユーザからの情報入力に応じて、コントローラ１０５にて行われる。なお、制御データの内容については、追って説明する。
【００３４】
以上の如くして、制御データとリンクテーブルの生成がなされると、当該制御データと、音楽コンテンツ、テキストデータ、およびリンク作成部１０２にて作成されたリンクテーブルが１つのファイルに格納され、ファイル記憶部１０７に蓄積される。この際、音楽コンテンツは、スクランブル部１０３にて暗号化される。暗号化に用いられた暗号キーは制御データの中に含められる。
【００３５】
図３に、当該ファイルデータの構成を示す。制御データは、当該ファイルに含まれているデータの内容や配信順序等を規定する。このうち、「パケットの種類」とは、当該ファイルに含まれるデータの種類である。同図の場合、制御データ、リンクテーブル、テキストデータおよび音楽コンテンツの４つのパケットがファイルに含まれている。「パケットの順序」とは、ファイルの先頭からどのような順番で各パケットが配列されているかを示すものである。「パケットの容量」とは、各パケットのデータ容量である。
【００３６】
上記コントローラ１０５は、各パケットの内容に応じて図３の制御データを生成する。また、各パケットが同図に示す順番で配列されるように、「パケットの順序」を規定する。しかして、制御データが生成された後、各パケットが同図に示す順番で配列されて、上記の如く、ファイル記憶部１０７に記憶される。
【００３７】
しかる後、データ再生端末からファイルデータの配信要求があると、コントローラ１０５は、ファイル記憶部１０７から当該ファイルデータを読み出し、ファイルの先頭から順番に各データをデータ再生端末に送信する。これにより、データ再生端末には、制御データ、リンクテーブル、テキストデータ、音楽コンテンツの順番で、データが到達する。
【００３８】
図４に、実施の形態に係るデータ再生端末の構成を示す。
【００３９】
データ再生端末２００は、送受信部２０１と、キー操作部２０２と、復号キー格納部２０３と、復号部２０４と、Ｄ／Ａ変換部（以下、ＤＡ変換部とも記す）２０５と、コントローラ２０６と、メモリ２０７と、メモリカードインタフェース２０８と、メモリカード２０９と、ディプレイドライバ２１０と、ディスプレイ２１１とから構成されている。
【００４０】
送受信部２０１は、アンテナを介してデータ配信装置に対して配信要求を送信し、またはデータ配信装置からの信号を受信する。キー操作部２０２は、タッチキーやタッチパネルによって構成され、ユーザからの操作指令をコントローラ２０６に供給する。復号キー格納部２０３は、再生対象のファイルデータに付された暗号キーを格納する。復号部２０４は、復号キー格納部２０３に格納された暗号キーを用いて音楽コンテンツを復号する。ＤＡ変換部２０５は復号された音楽コンテンツをアナログ音声信号に変換し、これをスピーカに出力する。
【００４１】
コントローラ２０６は、プログラムメモリを内蔵し、当該プログラムメモリに記憶された制御プログラムに従って各部を制御する。メモリ２０７はコントローラ２０６のワーク領域として機能し、コントローラ２０６からの指示に従って、制御データやリンクテーブル等のデータを一時記憶する。メモリカードインタフェース２０８は、メモリカード２０９とデータバスとの間のデータ授受を制御する。メモリカード２０９は、データ配信装置から配信されたデータをファイル毎に区分して蓄積する。ディスプレイドライバ２１０はコントローラ２０６からの指令に応じてディスプレイ２１１を駆動する。ディスプレイ２１１は、ディスプレイドライバ２１０の制御に応じてテキスト等を表示する。
【００４２】
次に、かかるデータ再生端末２００の動作について説明する。
【００４３】
まず、配信サーバからファイルデータの配信を受ける場合の動作について説明する。ファイルデータの配信を受ける場合、ユーザは、キー操作部２０２を介して、当該ファイルデータの配信要求を入力する。かかる配信要求は、所定の送信パケットに格納されて、送受信部２０１からデータ配信装置に送信される。かかる配信要求に受けたデータ配信装置は、ファイル記憶部から当該ファイルデータを読み出し、これを所定の送信パケットに格納してデータ再生端末に送信する。かかる送信パケットを受信した送受信部２０１は、これをコントローラ２０６に転送する。コントローラ２０６は、かかる送信パケットからファイルデータを取り出し、これをメモリカードインタフェース２０８に順次転送する。しかして、当該ファイルデータがメモリカード２０９に順次ダウンロードされる。
【００４４】
次に、メモリカード２０９にダウンロードされたファイルデータの再生動作について説明する。所定のファイルデータの再生を行う場合、ユーザは、キー操作部２０２を介して、当該ファイルデータの再生指令を入力する。かかる再生指令を受けて、コントローラ２０６は、当該ファイルデータの制御データとリンクテーブルをメモリカード２０８から読み出し、これをメモリ２０７に格納する。同時に、制御データ内の暗号キーを復号キー格納部２０３に格納する。
【００４５】
しかる後、当該ファイルデータの音楽コンテンツをメモリカード２０９から読み出し、これを順次復号部２０４に転送する。復号部２０４は、転送された音楽コンテンツを復号キー格納部２０３内の暗号キーを用いて復号し、これをＤＡ変換部２０５に送る。ＤＡ変換部２０５はこれをアナログ音声信号に変換し、これをスピーカに供給する。これにより、音楽コンテンツに応じた音楽がスピーカから出力される。
【００４６】
かかる音楽コンテンツの再生と並行してコントローラ２０６はメモリカード２０６からテキストデータを読み出し、これをメモリ２０７に順次格納する。そして、かかるテキストデータをリンクテーブルに規定されたタイミングで再生し、画像データを生成する。そして、生成した画像データをディスプレイドライバ２１０に順次転送する。
【００４７】
かかる画像データを受けたディスプレイドライバ２１０は、これを保持すると共に、当該画像データに応じてディスプレイ２１１を駆動する。これにより、音楽再生に同期したテキスト（歌詞など）がディスプレイ上に表示される。
【００４８】
次に、ファイルデータをダウンロードしながら当該ファイルデータの再生を行う場合の動作について、図５のフローチャートを参照して説明する。
【００４９】
上記ダウンロード動作によってファイルデータが受信されると（ステップＳ１０１）、かかるファイルデータは、上記ダウンロード動作に従って、メモリカード２０９に順次ダウンロードされる（ステップＳ１０８）。また、かかるダウンロードされたファイルデータ中の制御データがメモリカードから読み出されてメモリ２０７に記憶され、コントローラ２０６によって参照される（ステップＳ１０２）。そして、当該制御データに基づいて、当該ファイルデータが同時再生（ダウンロードと並行した再生）可能か否かが判別される（ステップＳ１０３）。かかる判別は、上記図３に示す「パケット順序」を参照して行われる。すなわち、「パケット順序」が図３に示す順序（リンクテーブル→テキストデータ→音楽コンテンツ）になっているか、あるいは、テキストデータ→リンクテーブル→音楽コンテンツになっている場合に、同時再生可能と判別される。
【００５０】
なお、上記図１に示すデータ配信装置１０１からのファイルデータは、「パケット順序」がリンクテーブル→テキストデータ→音楽コンテンツとなっているので、当該データ配信装置１０１からファイルデータを受信する場合には、ステップＳ１０３において、同時再生可能と判別される。
【００５１】
しかして、同時再生可能と判別されると、リンクテーブルがメモリカード２０９から読み出され、メモリ２０７に格納される（ステップＳ１０４）。これと並行して、コントローラ２０６は受信したファイルデータの先頭からの容量を監視し、当該容量が、制御データ中の「パケット容量」で規定された制御データ、リンクテーブル、テキストデータの合計容量に達したか否かを判別する。そして、当該容量に達したタイミングで、音楽コンテンツのダウンロードが開始されたと判別する（ステップＳ１０５）。
【００５２】
しかして、音楽コンテンツのダウンロードが開始されると、メモリカード２０９から音楽コンテンツとテキストデータが順番に読み出され、上記の通常の再生動作と同様にして、音楽コンテンツの再生とテキストデータのリンク再生が行われる（ステップＳ１０６）。かかる再生は、メモリカード２０９に記憶された音楽コンテンツが終了するまで行われる（ステップＳ１０７）。しかして、メモリカード２０９に対するファイルデータのダウンロードと、音楽コンテンツおよびテキストデータのリンク再生とが並行して実行される。
【００５３】
なお、ステップ１０３にて、同時再生が可能でないと判別された場合には、ステップＳ１０９によるデータダウンロードのみが実行される。そして、データダウンロードの終了が判別されると（ステップＳ１０９）、リンクテーブルがメモリカード２０９から読み出され（ステップＳ１１０）、上記音楽コンテンツおよびテキストデータのリンク再生が実行される（ステップＳ１０６）。
【００５４】
以上の通り、図４のデータ再生装置によれば、ファイルデータの配列順序によって同時再生が可能か否かを判別し、同時再生可能であれば音楽コンテンツのダウンロード時から再生を開始し、同時再生が可能でなければファイルデータのダウンロード完了時に再生を開始する。従って、同時再生指令を入力することで、ファイルデータの再生、すなわち音声の出力と歌詞テキストの表示を、より迅速に開始することができる。
【００５５】
この際、図１のデータ配信装置によれば、ファイルデータの配列が制御データ→リンクテーブル→テキストデータ→音楽コンテンツとなっているので、かかるファイルデータを上記データ再生装置にて受信した場合には、当該ファイルデータの同時再生が可能となる。したがって、図１のデータ配信装置は、図４のデータ再生装置と相俟って、より迅速なリンク再生の開始を実現できる。
【００５６】
ところで、上記図４のデータ再生装置は、ファイルデータの配列順序が上記の如くなっていなければ、同時再生を実現できない。他方、上記図１のデータ配信装置は自己でファイルデータを構成する場合には上記順番でファイルデータを構成できるが、たとえば、他のデータ配信装置が構成したファイルデータを自己に取り込むような場合には、ファイルデータの配列順序を保証し得ない。かかる場合には、ファイルデータの配信時に、ファイルデータの配列順序を確認し、各パケットが上記の順番となっていない場合には、これを上記順番に再構成してデータ配信を行うのが好ましい。これにより、上記図４のデータ再生装置によって、ユーザからの要求に応じて、常に、同時再生を実行することができるようになる。
【００５７】
図６に、かかる場合における上記図１のデータ配信装置の処理手順を示す。
【００５８】
データ配信要求を受信すると、コントローラ１０５は、当該配信要求のあったファイルデータの制御データを参照し（ステップＳ２０１）、当該ファイルデータの配列順序が、制御データ→リンクテーブル→テキストデータ→音楽コンテンツとなっているかを判別する（ステップＳ２０２）。そして、かかる順序になっていない場合、各パケットの配列を制御データ→リンクテーブル→テキストデータ→音楽コンテンツに変更する（ステップＳ２０３）と共に、制御データの「パケット順序」をかかる順序に変更する（ステップＳ２０４）。そして、上記順序となるように各パケットを送信ファイルに格納し、これをデータ再生装置に送信する。
【００５９】
他方、ステップＳ２０２にて、当該ファイルデータの配列が制御データ→リンクテーブル→テキストデータ→音楽コンテンツとなっていると判別された場合には、当該ファイルデータをそのまま送信する。
【００６０】
かかる送信時の処理により、データ再生装置は、常に同時再生が可能な順序でファイルデータを受信することができるようになる。
【００６１】
なお、上記送信時の処理は、データ再生端末側で同時再生を行わない場合には不要となる。したがって、上記処理を常に行わず、データ再生端末から同時再生要求があった場合のみ、上記処理を行うようにしても良い。かかる同時再生要求は、データ再生端末からのダウンロード要求に含められる。
【００６２】
図７に、かかる場合の処理手順を示す。なお、同図中、ステップＳ３０３〜Ｓ３０７は、上記図６におけるステップＳ２０１〜Ｓ２０５と同様である。データ再生装置から配信要求があると、コントローラ１０５は、当該配信要求を分析し（ステップＳ３０１）、当該配信要求が同時再生をも要求するものかを判別する（ステップＳ３０２）。そして、同時再生を要求するものである場合には、上記と同様、ファイルの配列順序と制御データとを再構成した後、ファイルデータを送信する（ステップＳ３０３〜Ｓ３０８）。他方、同時再生を要求するものではない場合には、当該ファイルデータをそのまま送信する（ステップＳ３０８）。
【００６３】
かかる送信時の処理により、データ送信装置は、同時再生の要求時には必ず同時再生が可能な順序でファイルデータを送信し、それ以外の場合には、特に処理を施すことなく、ファイルデータをそのまま送信するようになる。これにより、処理の効率化を図りながら、同時再生を実現できるようになる。
【００６４】
以上本発明に係る種々の実施形態について説明したが、本発明は、かかる実施形態に限定されるものではなく、他に種々の変更が可能であることは言うまでもない。たとえば上記実施の形態では、制御データに「パケットの順序」を含め、これにより同時再生が可能か否かを判別するようにしたが、たとえば単に同時再生が可能かどうかのフラグを制御データに含めておき、これにより同時再生が可能か否かを判別するようにすることもできる。
【００６５】
その他、本発明の実施の形態は、本発明の技術的思想の範囲内において、適宜、種々の変更が可能である。
【００６６】
【発明の効果】
以上、本発明によれば、ファイルデータが、制御データ、付加データ、主データの順番で送信されるので、主データの受信タイミングにて、制御データおよび付加データを用いたリンク再生が可能となり、よって、データダウンロードと当該ダウンロードデータのリンク再生を並行して行うことができる。これにより、ユーザは、ダウンロード完了を待たずとも、より迅速に、再生出力を得ることができる。
【図面の簡単な説明】
【図１】  実施の形態に係るデータ送信装置の構成を示す図
【図２】  実施の形態に係るリンクテーブルの再生方法を説明するための図
【図３】  実施の形態に係るファイルデータの構成を示す図
【図４】  実施の形態に係るデータ再生装置の構成を示す図
【図５】  実施の形態に係るデータ再生装置の処理動作の流れを示す図
【図６】  実施の形態に係るデータ送信装置の処理動作の流れを示す図
【図７】  実施の形態に係るデータ送信装置の処理動作の流れを示す図
【符号の説明】
２０６  コントローラ
２０８  メモリカードインタフェース
２０９  メモリカード
【図１】
0004148690.tif 000002
【図２】
0004148690.tif 000003
【図３】
0004148690.tif 000004
【図４】
0004148690.tif 000005
【図５】
0004148690.tif 000006
【図６】
0004148690.tif 000007
【図７】
0004148690.tif 000008